【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
ビデオ情報を符号化する方法であって、前記方法は、
拡張レイヤとベースレイヤとに関連付けられたビデオ情報を受信することと、前記拡張レイヤが前記ベースレイヤ中のブロックに対応する現在ブロックを有し、ここにおいて、前記ベースレイヤは、クロップトベースレイヤピクチャ及び前記クロップトベースレイヤピクチャの外側の領域を備え、
前記ベースレイヤの前記クロップトベースレイヤピクチャを取得することと、ここにおいて、前記クロップトベースレイヤピクチャが、前記拡張レイヤのブロックを符号化するために利用可能であり、ここにおいて、クロップト部分の外側にある前記ベースレイヤの前記領域が前記拡張レイヤのブロックを符号化するために利用可能でない、
前記クロップトベースレイヤピクチャを使用して前記拡張レイヤ中の前記現在ブロックを符号化することと、ここにおいて、対応するベースレイヤブロックの少なくとも一部分が、前記クロップトベースレイヤピクチャの外側に配置される、
を備える、方法。
【請求項２】
前記クロップトベースレイヤピクチャを使用して前記拡張レイヤ中の前記現在ブロックを符号化することは、
前記現在ブロックに対して同一位置配置される前記ベースレイヤ中のブロックを決定することと、
前記ベースレイヤ中の前記ブロックに最も近い隣接ブロックから導出された情報を使用して前記現在ブロックを符号化することと、前記隣接ブロックが前記クロップトベースレイヤピクチャ内に配置される、を備え、
ここにおいて、前記方法は好ましくは、
前記ベースレイヤ中の前記ブロックの座標情報を前記クロップトベースレイヤピクチャの範囲にクリッピングすることによって前記隣接ブロックを配置することをさらに備える、請求項１に記載の方法。
【請求項３】
前記クロップトベースレイヤピクチャを使用して前記拡張レイヤ中の前記現在ブロックを符号化することは、
パディングされたクロップトベースレイヤピクチャがコード化されたベースレイヤピクチャと同じサイズを有するように、前記クロップトベースレイヤピクチャをパディングすることと、
アップサンプリングされたパディングされたクロップトベースレイヤピクチャが、前記現在ブロックを含んでいる拡張レイヤピクチャと同じサイズを有するように、前記パディングされたクロップトベースレイヤピクチャをアップサンプリングすることと、
前記アップサンプリングされたパディングされたクロップトベースレイヤピクチャを使用して前記拡張レイヤ中の前記現在ブロックを符号化することとを備える、請求項１に記載の方法。
【請求項４】
ビデオ情報を復号する方法であって、前記方法は、
符号化ビデオビットストリームから抽出されたシンタックス要素を受信することと、ここにおいて、前記シンタックス要素が、拡張レイヤとベースレイヤとに関連付けられたビデオ情報を備え、前記拡張レイヤが現在ブロックを有し、ここにおいて、前記ベースレイヤは、クロップトベースレイヤピクチャ及び前記クロップトベースレイヤピクチャの外側の領域を備え、
前記ベースレイヤの前記クロップトベースレイヤピクチャを取得することと、ここにおいて、前記クロップトベースレイヤピクチャが、前記拡張レイヤのブロックを復号するために利用可能であり、ここにおいて、クロップト部分の外側にある前記ベースレイヤの前記領域が前記拡張レイヤのブロックを復号するために利用可能でない、
前記クロップトベースレイヤピクチャを使用して前記拡張レイヤ中の前記現在ブロックを復号すること、ここにおいて、対応するベースレイヤブロックの少なくとも一部分が、前記クロップトベースレイヤピクチャの外側に配置される、
を備える、方法。
【請求項５】
前記クロップトベースレイヤピクチャを使用して前記拡張レイヤ中の前記現在ブロックを復号することは、
前記現在ブロックに対して同一位置配置される前記ベースレイヤ中のブロックを決定することと、
前記ベースレイヤ中の前記ブロックに最も近い隣接ブロックから導出された情報を使用して前記現在ブロックを復号することと、前記隣接ブロックが前記クロップトベースレイヤピクチャ内に配置される、を備え、
ここにおいて、前記方法は好ましくは、
前記ベースレイヤ中の前記ブロックの座標情報を前記クロップトベースレイヤピクチャの範囲にクリッピングすることによって前記隣接ブロックを配置することをさらに備える、請求項４に記載の方法。
【請求項６】
前記クロップトベースレイヤピクチャを使用して前記拡張レイヤ中の前記現在ブロックを復号することは、
パディングされたクロップトベースレイヤピクチャがコード化されたベースレイヤピクチャと同じサイズを有するように、前記クロップトベースレイヤピクチャをパディングすることと、
アップサンプリングされたパディングされたクロップトベースレイヤピクチャが、前記現在ブロックを含んでいる拡張レイヤピクチャと同じサイズを有するように、前記パディングされたクロップトベースレイヤピクチャをアップサンプリングすることと、
前記アップサンプリングされたパディングされたクロップトベースレイヤピクチャを使用して前記拡張レイヤ中の前記現在ブロックを復号することとを備える、請求項４に記載の方法。
【請求項７】
前記現在ブロックの座標情報を前記クロップトベースレイヤピクチャの範囲にクリッピングすることと、
前記現在ブロックの前記クリッピングされた座標情報に基づいて、前記現在ブロックを符号化又は復号するために使用されるべき前記ベースレイヤ中のブロックを決定するために位置マッピングプロセスを行うこととをさらに備える、請求項１又は４に記載の方法。
【請求項８】
前記現在ブロックに対して同一位置配置される前記ベースレイヤ中のブロックが前記クロップトベースレイヤピクチャの外側にあるかどうかを決定することと、
前記ベースレイヤ中の前記ブロックが前記クロップトベースレイヤピクチャの外側にあると決定したことに応答して、前記現在ブロックについてシンタックス要素及び残差情報のレイヤ間予測を無効にすることとをさらに備える、請求項１又は４に記載の方法。
【請求項９】
前記現在ブロックに対して同一位置配置される前記ベースレイヤ中のブロックが前記クロップトベースレイヤピクチャの外側にあるかどうかを決定することと、
前記ベースレイヤ中の前記ブロックが前記クロップトベースレイヤピクチャの外側にあると決定したことに応答して、前記現在ブロックのレイヤ間予測のためにデフォルトシンタックス値を使用することとをさらに備える、請求項１又は４に記載の方法。
【請求項１０】
前記現在ブロックに対して同一位置配置される前記ベースレイヤ中のブロックが前記クロップトベースレイヤピクチャの外側にあるかどうかを決定することと、
前記ベースレイヤ中の前記ブロックが前記クロップトベースレイヤピクチャの外側にあると決定したことに応答して、前記現在ブロックのレイヤ間予測のために前記隣接ブロックのシンタックス値を使用することとをさらに備える、請求項２又は５に記載の方法。
【請求項１１】
前記拡張レイヤの最小コード化単位（ＳＣＵ）サイズが前記ベースレイヤのＳＣＵサイズとは異なる、請求項１又は４に記載の方法。
【請求項１２】
前記拡張レイヤの各ピクチャ境界の境界パディングサイズが、前記ベースレイヤの各対応するピクチャ境界の境界パディングサイズとは異なる、請求項１又は４に記載の方法。
【請求項１３】
実行されたとき、装置に、請求項１から１２のうちのいずれか１項に記載の方法を実行させる命令を記憶したコンピュータ可読記憶媒体。
【請求項１４】
ビデオ情報を符号化するように構成されるビデオ符号化装置であって、前記ビデオ符号化装置は、
拡張レイヤとベースレイヤとに関連付けられたビデオ情報を記憶するための手段と、前記拡張レイヤが前記ベースレイヤ中のブロックに対応する現在ブロックを有し、ここにおいて、前記ベースレイヤは、クロップトベースレイヤピクチャ及び前記クロップトベースレイヤピクチャの外側の領域を備え、
前記ベースレイヤの前記クロップトベースレイヤピクチャを取得するための手段と、ここにおいて、前記クロップトベースレイヤピクチャが、前記拡張レイヤのブロックを符号化するために利用可能であり、ここにおいて、クロップト部分の外側にある前記クロップトベースレイヤピクチャの一部分が前記拡張レイヤのブロックを符号化するために利用可能でない、
前記クロップトベースレイヤピクチャを使用して前記拡張レイヤ中の前記現在ブロックを符号化するための手段と、ここにおいて、対応するベースレイヤブロックの少なくとも一部分が、前記クロップトベースレイヤピクチャの外側に配置される、
を備える、ビデオ符号化装置。
【請求項１５】
ビデオ情報を復号するように構成されるビデオ復号装置であって、前記ビデオ復号装置は、
拡張レイヤとベースレイヤとに関連付けられたビデオ情報を記憶するための手段と、前記拡張レイヤが現在ブロックを有し、ここにおいて、前記ベースレイヤは、クロップトベースレイヤピクチャ及び前記クロップトベースレイヤピクチャの外側の領域を備え、
前記ベースレイヤの前記クロップトベースレイヤピクチャを取得するための手段と、ここにおいて、前記クロップトベースレイヤピクチャが、前記拡張レイヤのブロックを復号するために利用可能であり、ここにおいて、クロップト部分の外側にあるコード化されたベースレイヤピクチャの前記領域が前記拡張レイヤのブロック復号するために利用可能でない、
前記クロップトベースレイヤピクチャを使用して前記拡張レイヤ中の前記現在ブロックを復号するための手段と、ここにおいて、対応するベースレイヤブロックの少なくとも一部分が、前記クロップトベースレイヤピクチャの外側に配置される、
を備える、ビデオ復号化装置。